(57)【要約】【課題】  振子軸の方向からも振子軸に対して垂直な方向からも容易に角度目盛を読取り可能とし、作業者の負担を軽減し読取誤差を無くして作業効率を向上させる。【解決手段】  振子軸２に回転可能に取り付けた振子４と、振子軸２に垂直な垂直目盛板３と、振子軸２を中心とする部分円筒状の平行目盛板６と、振子４と共に回転するアーム７に設けられ平行目盛板６に沿って移動する指針８とを備える。【選択図】  図３
2005164468.tif 000002
【特許請求の範囲】
【請求項１】
振子軸に回転可能に取り付けた振子と、振子軸に垂直な垂直目盛板と、振子軸を中心とする部分円筒状の平行目盛板と、振子と共に回転するアームに設けられ平行目盛板に沿って移動する指針とを備えた振子式角度計。
【発明の詳細な説明】
【技術分野】
【０００１】
本発明は、振子を利用した角度計に関するものである。
【背景技術】
【０００２】
起伏するブームやアーム等を備えた作業機械では、作業時にブームやアーム等の傾斜角度を確認するため、一般に振子式角度計が設けられる（特許文献１参照）。
例えば、クローラドリルのさく岩機のチルト角度を表示する振子式角度計は、図６、図７に示すように、ブーム１３の先端に回転軸１４で前後傾動自在に枢支されたチルトボディ１１の側面に設けられている。
【０００３】
この振子式角度計は、チルトボディ１１の回転軸１４と平行な振子軸２２に回転可能に取り付けた振子２４と振子軸２２に垂直な目盛板２３とを備えている。目盛板２３はチルトボディ１１に固定されチルトボディ１１と共に傾動する。
チルトボディ１１の側方には、さく岩機を支持し案内するガイドシェル（図示略）を搭載したガイドマウンチング１５が連結されており、ガイドチルトシリンダ１２の伸縮によりチルトボディ１１が前後傾動すると、さく岩機も同じ角度で前後傾動する。
【０００４】
従って、振子式角度計の目盛板２３上で、常に鉛直方向を指す振子２４の先端が指示する角度目盛２５を読取ることにより、さく岩機のチルト角度を確認することができる。
ところで、運転席を備えたクローラドリルでは、実際のさく孔口元の状態を目視確認するため作業者が運転席を降りてさく孔口元まで移動したときにチルト角度が確認できるだけでなく、運転席からもチルト角度を確認できることが要求されている。
【０００５】
しかしながら、従来の振子式角度計では、正面の振子軸２２の方向、即ちチルトボディ１１の側方からは角度目盛２５を容易に読取ることができるが、振子軸２２に対して垂直な方向となるブーム１３の後方の運転席からは角度目盛２５を正確に読取るのは困難である。
従って、さく岩機のチルト角度を確認するためには、作業者は運転席から降りチルトボディ１１の側方まで移動して角度目盛２５を読まなければならず面倒である。
【特許文献１】実開昭５９−１２５５５６号公報
【発明の開示】
【発明が解決しようとする課題】
【０００６】
本発明は、振子式角度計における上記問題を解決するものであって、振子軸の方向からも振子軸に対して垂直な方向からも容易に角度目盛を読取ることができ、作業者の負担を軽減し読取誤差を無くして作業効率を向上させることのできる振子式角度計を提供することを目的とする。
【課題を解決するための手段】
【０００７】
本発明の振子式角度計は、振子軸に回転可能に取り付けた振子と、振子軸に垂直な垂直目盛板と、振子軸を中心とする部分円筒状の平行目盛板と、振子と共に回転するアームに設けられ平行目盛板に沿って移動する指針とを備えることにより上記課題を解決している。
この振子式角度計では、振子と垂直目盛板によって、従来の振子式角度形と同様に振子軸の方向から傾斜角度を確認することができる。また、平行目盛板が、振子軸を中心とする円筒の周の一部を欠いた（正面視で円弧状を呈する）部分円筒状に形成されており、指針がこの平行目盛板に沿って移動し、振子軸に対して垂直な方向から視認可能なので、振子軸に対して垂直な方向からも傾斜角度を確認することができる。
【発明の効果】
【０００８】
本発明の振子式角度計は、振子軸の方向からも、振子軸に対して垂直な方向からも傾斜角度を確認することができ、作業者の負担を軽減し読取誤差を無くして作業効率を向上させることができる。
【発明を実施するための最良の形態】
【０００９】
図１は本発明の実施の一形態を示す振子式角度計の正面図、図２は振子式角度計をクローラドリルのチルトボディに設けた状態を示す平面図である。
この振子式角度計は、基板１に振子軸２と振子軸２に垂直な垂直目盛板３とが固定されており、振子軸２には振子４が回転可能に取付けられている。垂直目盛板３は正面視において部分円状で、正面の周縁部には振子軸２を中心とする放射状に角度目盛５が設けられている。
【００１０】
垂直目盛板３の円弧状の周上には、振子軸２を中心とする部分円筒状の平行目盛板６が設けられている。また、振子４の基端部には、振子４と共に回転するアーム７が振子軸２に対して垂直な方向（図上、右方）に向けて設けられており、このアーム７の先端には、平行目盛板６に沿って移動する指針８が振子軸２と平行な方向に設けられている。
基板１はブラケット１０でクローラドリルのチルトボディ１１の側面に取付けられており、ガイドチルトシリンダ１２の伸縮によりチルトボディ１１が傾動すると、基板１と共に垂直目盛板３も傾動し、振子４の先端が垂直目盛板３の傾斜に対応する角度目盛５を指示すると共に、指針８が平行目盛板６の傾斜に対応する角度目盛を指示するようになっている。
【００１１】
この振子式角度計では、振子４と垂直目盛板３によって、振子軸２の方向であるチルトボディ１１の側方から傾斜角度を確認することができる。また、平行目盛板６が振子軸２を中心とする部分円筒状であり、指針８がこの平行目盛板６に沿って移動するので、振子軸２に対して垂直な方向となるブーム１３の後方の運転席から指針８を視認し傾斜角度を容易に確認することができる。
従って、チルト角度を確認するために、作業者が運転席から降りチルトボディ１１の側方まで移動して角度目盛を読む必要がなく、作業者の負担を軽減し読取誤差を無くして作業効率を向上させることができる。
【００１２】
図３は本発明の他の実施の形態を示す振子式角度計の正面図、図４は振子式角度計の平面図、図５は振子式角度計の側面図である。
この振子式角度計では、部分円筒状の平行目盛板６が、垂直目盛板３の周上でなく、垂直目盛板３の正面側に所定距離離隔するように設けられており、指針８が、垂直目盛板３と平行目盛板６の間に配置されたアーム７の先端から平行目盛板６の角度目盛９側に向けて設けられている。基本的な構成や作用は図１の振子式角度計と同様である。
【図面の簡単な説明】
【００１３】
【図１】本発明の実施の一形態を示す振子式角度計の正面図である。
【図２】振子式角度計をクローラドリルのチルトボディに設けた状態を示す平面図である。
【図３】本発明の他の実施の形態を示す振子式角度計の正面図である。
【図４】本発明の他の実施の形態を示す振子式角度計の平面図である。
【図５】本発明の他の実施の形態を示す振子式角度計の側面図である。
【図６】従来の振子式角度計をクローラドリルのチルトボディに設けた状態を示す正面図である。
【図７】従来の振子式角度計をクローラドリルのチルトボディに設けた状態を示す平面図である。
【符号の説明】
【００１４】
１      基板
２      振子軸
３      垂直目盛板
４      振子
５      角度目盛
６      平行目盛板
７      アーム
８      指針
９      角度目盛
１０    ブラケット
１１    チルトボディ
１２    ガイドチルトシリンダ
１３    ブーム
【図１】
2005164468.tif 000003
【図２】
2005164468.tif 000004
【図３】
2005164468.tif 000005
【図４】
2005164468.tif 000006
【図５】
2005164468.tif 000007
【図６】
2005164468.tif 000008
【図７】
2005164468.tif 000009